(57)【特許請求の範囲】
【請求項１】
端末と基地局が無線通信を行う無線通信システムであって、
前記基地局は複数のアンテナを備え、
前記複数のアンテナを用いた処理利得を測定し、前記処理利得に応じて前記端末が当該基地局に接続するセル範囲を調整する、
ことを特徴とする無線通信システム。
【請求項２】
請求項１記載の無線通信システムであって、
前記処理利得のうち上り信号の処理利得が大きいほど、前記端末が接続するセル範囲を狭くする、
ことを特徴とする無線通信システム。
【請求項３】
請求項１記載の無線通信システムであって、
前記処理利得のうち下り信号の処理利得が大きいほど、前記端末が接続するセル範囲を広くする、
ことを特徴とする無線通信システム。
【請求項４】
請求項１記載の無線通信システムであって、
その通信範囲内に報知するセル個別オフセット値を調整することにより前記端末が接続するセル範囲を調整する、
ことを特徴とする無線通信システム。
【請求項５】
請求項１記載の無線通信システムであって、
センタを更に備え、
前記センタが、複数のアンテナを有する前記基地局の前記処理利得に応じて前記端末が当該基地局に接続するセル範囲を制御する、
ことを特徴とする無線通信システム。
【請求項６】
無線通信システムの基地局であって、
複数のアンテナと、
ユーザ端末と無線通信を行う通信部と、
前記複数のアンテナを用いた処理利得を測定し、前記処理利得に応じて前記ユーザ端末が当該基地局に接続するセル範囲を調整する処理部と、を備える、
ことを特徴とする基地局。
【請求項７】
請求項６記載の基地局であって、
前記処理部は、
前記処理利得のうち上り信号の処理利得が大きいほど、前記ユーザ端末が接続するセル範囲を狭くする、
ことを特徴とする基地局。
【請求項８】
請求項６記載の基地局であって、
前記処理部は、
前記処理利得のうち下り信号の処理利得が大きいほど、前記ユーザ端末が接続するセル範囲を広くする、
ことを特徴とする基地局。
【請求項９】
請求項６記載の基地局であって、
前記処理部は、
前記処理利得に基づき決定したセル選択バイアス値を用いて、当該基地局のセル範囲内に報知するセル個別オフセット値を作成する、
ことを特徴とする基地局。
【請求項１０】
請求項９記載の基地局であって、
前記処理部は、
前記セル個別オフセット値を調整することにより前記ユーザ端末が接続するセル範囲を調整する、
ことを特徴とする基地局。
【請求項１１】
基地局のセル選択制御方法であって、
前記基地局は、複数のアンテナを備え、
前記複数のアンテナを用いた処理利得を測定し、
測定した前記処理利得に応じて端末が当該基地局に接続するセル範囲を調整する、
ことを特徴とするセル選択制御方法。
【請求項１２】
請求項１１記載のセル選択制御方法であって、
前記基地局は、
前記処理利得のうち上り信号の処理利得が大きいほど、前記端末が接続するセル範囲を狭くするよう制御する、
ことを特徴とするセル選択制御方法。
【請求項１３】
請求項１１記載のセル選択制御方法であって、
前記基地局は、
前記処理利得のうち下り信号の処理利得が大きいほど、前記端末が接続するセル範囲を広くするよう制御する、
ことを特徴とするセル選択制御方法。
【請求項１４】
請求項１１記載のセル選択制御方法であって、      
前記基地局は、
前記処理利得に基づき決定したセル選択バイアス値を用いて当該基地局のセル範囲内に報知するセル個別オフセット値を作成する、
ことを特徴とするセル選択制御方法。
【請求項１５】
請求項１１記載のセル選択制御方法であって、
前記基地局は、
ハンドオーバ判定の際に、前記処理利得に基づき決定したセル選択バイアス値が大きい基地局に対してハンドオーバしやすいように判断条件を補正する、
ことを特徴とするセル選択制御方法。
【発明の詳細な説明】
【技術分野】
【０００１】
本発明は無線通信システムに関し、特にセルラ無線通信システムにおいてセル選択を制御する技術に関する。
【背景技術】
【０００２】
無線通信の広帯域化に伴って、以下サブキャリアと称する複数の周波数帯域に送信情報を分割して通信を行うマルチキャリア通信方式が用いられている。マルチキャリア通信方式のうち、ＯＦＤＭ(Orthogonal Frequency Division Multiplexing：直交周波数分割多重)方式は、サブキャリアあたりの帯域幅を狭帯域化することで遅延波に対する耐性を向上しつつ、信号の直交性を利用することでサブキャリア間のガードバンドを不要として高い周波数利用効率を実現できることから幅広いシステムで採用されている。またＯＦＤＭ方式の無線リソースを、1ないしは複数のサブキャリアと一定の時間幅とを持つ以下リソースブロックと称する単位毎に分割して多元接続を行うＯＦＤＭＡ(Orthogonal Frequency Division Multiple Access：直交周波数分割多元接続)方式がＷｉＭＡＸ(Worldwide Interoperability of Microwave Access) やＬＴＥ(Long Term Evolution)と呼ばれる無線通信システムで採用されている。【０００３】
また無線通信システムでは、送信電力が高く基地局あたりのカバーエリアが例えば数百メートルから数キロメートルに及ぶ以下マクロセル基地局と称する基地局を複数設置することにより、ユーザ端末は広い範囲において無線通信を行うことができる。しかし無線通信に用いる電波は例えば建造物などにより遮蔽され、あるいは減衰するため、例えば屋内などでマクロセル基地局からの電波が弱まる箇所が生じる。またマクロセル基地局のカバーエリアが広いほどエリア内のユーザ端末数が増加するため、ユーザ端末それぞれが利用可能な無線リソースが減少する。【０００４】
このため、以下小型セル基地局と称する、送信電力が低く基地局あたりのカバーエリアが狭い基地局を設置することがある。小型セル基地局を設置することにより、ユーザ端末はマクロセル基地局からの電波が弱まる箇所においても安定した通信を行うことができ、またユーザ端末が小型セル基地局に所属することにより基地局あたりのユーザ端末数を減少させてユーザ端末それぞれが利用可能な無線リソースを増加させることができる。【０００５】
一般的にはユーザ端末は受信電力が最も強いセルを選択するが、システム全体のトラフィック増加のためには、多くのユーザ端末が小型セル基地局に所属することが望ましい。そのため非特許文献１には、ユーザ端末は受信電力が最も強くない場合でも小型セル基地局を選択する方式及び効果が記載されている。
【先行技術文献】
【非特許文献】
【０００６】
【非特許文献１】3GPP TSG-RAN WG1 #59 R1-010701, "Importance of Serving Cell Selection in Heterogeneous Networks", Qualcomm Incorporated, Jan. 2010.
【発明の概要】
【発明が解決しようとする課題】
【０００７】
例えば非特許文献１には、ユーザ端末は受信電力が最も強くない場合でも小型セル基地局を選択することによりスループット向上の利点を得ることができることが記載されているが、例えば上り方向の通信に関しては、小型セル基地局所属端末の通信がマクロセル基地局所属の端末の通信に対して干渉となり、マクロセル所属端末の通信速度が低下してしまうことがあるため、多くの端末を小型セル基地局に所属させることは必ずしもシステム全体の容量増加にはつながらない。【０００８】
本発明の目的は、上記課題を解決し、小型セル基地局を有効活用によるシステム容量増加を図る無線通信システム、基地局、セル選択制御方法を提供することにある。
【課題を解決するための手段】
【０００９】
上記の目的を達成するため、本発明においては、端末と基地局が無線通信を行う無線通信システムであって、基地局は複数のアンテナを備え、複数のアンテナを用いた処理利得を測定し、処理利得に応じて端末が当該基地局に接続する範囲を調整する構成の無線通信システムを提供する。【００１０】
また、上記の目的を達成するため、本発明においては、無線通信システムの基地局であって、複数のアンテナと、ユーザ端末と無線通信を行う通信部と、複数のアンテナを用いた処理利得を測定し、処理利得に応じてユーザ端末が当該基地局に接続する範囲を調整する処理部とを備える構成の基地局を提供する。【００１１】
更に、上記の目的を達成するため、本発明においては、基地局のセル選択制御方法であって、基地局は複数のアンテナを備え、複数のアンテナを用いた処理利得を測定し、測定した処理利得に応じて端末が当該基地局に接続する範囲を調整するセル選択制御方法を提供する。
【発明の効果】
【００１２】
本発明によれば、小型セル基地局を有効に活用し、無線通信システムのシステム容量を増加させることができる。
【図面の簡単な説明】
【００１３】
【図１】各実施例の無線通信システムの一構成例を示す図である。
【図２】第1の実施例におけるセル選択バイアス値の補正処理の流れを示す図である。
【図３】第1の実施例における干渉除去情報の一例を示す図である。
【図４】第1の実施例におけるセル選択バイアス決定処理の流れのブロック図の一例を示す図である。
【図５】第1の実施例におけるセル宅バイアス判定の一例を示す図である。
【図６】第１の実施例におけるハンドオーバ実行までの処理の流れの一例を示す図である。
【図７】第２の実施例におけるセル選択バイアス値の補正処理の流れを示す図である。
【図８】各実施例に係る、ＤＳＰやＣＰＵを主体とした基地局装置の構成の一例を示す図である。
【図９】処理利得導出処理を含む受信信号処理の流れのブロック図の一例を示す図である。
【発明を実施するための形態】
【００１４】
以下、本発明の実施の形態について図面を用いて説明する。
【００１５】
なお、以下の実施例の説明において、パイロット信号とは受信信号を復調する際の振幅及び位相の基準信号として、あるいは受信電力または伝搬路情報を推定するための基準信号として用いられる固定ないしは半固定のパターンを持つ信号を指し、リファレンス信号とも称される。また復調する際の基準信号として用いるパイロット信号と受信電力または伝搬路情報を推定するための基準信号として用いるパイロット信号とが同一であっても良いし、別個の信号であっても良い。また、パイロット信号はセル内の複数のユーザ端末で共通して用いても良いし、ユーザ端末ごとに個別に用いても良い。
【００１６】
また、以下の実施例では、シーケンスや処理の流れについて特定の順序で説明を行うことがあるが、ある処理の結果を次の処理で使用するような順序に対する依存性がある場合を除き処理の順序が入れ替わっても良いし、また並行して処理を行っても良い。更に後段の処理が前段の処理の実行結果を用いる場合であっても、それぞれの処理を非同期に実行し、後段処理は実行時点における最新の前段処理実行結果を用いてもよい。
【００１７】
また、以下の実施例では比較的送信電力が大きく広範囲の端末と通信を行う基地局をマクロセル基地局、送信電力が小さく狭い範囲の端末と通信を行う基地局を小型セル基地局と呼称し、マクロセル基地局と小型セル基地局との区別を行う必要が無い場合には単に基地局と呼称する。
【実施例１】
【００１８】
図１は、第１の実施例を含む全ての実施例に係る無線通信システムの一構成例を示す図である。本構成例の無線通信システムは、複数のマクロセル基地局１０１、複数の小型セル基地局１１１、複数のユーザ端末１０２及び１１２、複数の基地局と接続されるネットワーク１０３、ネットワークを介して基地局と接続されるコアネットワーク１０４を有する。以下ではマクロセル基地局１０１または小型セル基地局１１１からユーザ端末１０２または１１２に向けた信号や通信を下り信号や下り通信と称する。逆にユーザ端末１０２または１１２からマクロセル基地局１０１または小型セル基地局１１１に向けた信号や通信を上り信号や上り通信と称する。【００１９】
マクロセル基地局１０１は、ネットワーク１０３を介してコアネットワーク１０４と接続される。マクロセル基地局１０１は、下り信号をユーザ端末１０２に向けて送信し、ユーザ端末１０２が送信した上り信号を受信する。小型セル基地局１１１は、マクロセル基地局１０１と同様にネットワーク１０３を介してコアネットワーク１０４と接続され、下り信号をユーザ端末１１２に向けて送信し、ユーザ端末１１２が送信した上り信号を受信する。【００２０】
マクロセル基地局１０１が接続されるネットワーク１０３と、小型セル基地局１１１が接続されるネットワーク１０３とは同一のネットワークであっても良いし、ゲートウェイを介して接続される別のネットワークであっても良い。コアネットワーク１０４はモビリティ管理や他ネットワークとのゲートウェイ機能を有する。【００２１】
ユーザ端末１０２または１１２がマクロセル基地局１０１と通信を行うか、或いは小型セル基地局１１１と通信を行うかは下り信号または上り信号の受信品質や伝搬損失を基に選択され、ユーザ端末の移動などによって伝搬環境が変化した場合にはコアネットワーク１０４を介して通信を行う基地局を再選択する。図１では、小型セル基地局１１１がユーザ端末と通信する範囲は、マクロセル基地局１０１がユーザ端末と通信する範囲よりも狭い。また、マクロセル基地局及び小型セル基地局を問わず、基地局が通信する範囲は、複数の基地局間で包含関係であってもよいし、一部の範囲が重複していてもよい。【００２２】
また、マクロセル基地局１０１及び小型セル基地局１１１のうち、少なくとも一の基地局は複数のアンテナを有し、当該基地局が複数のアンテナを用いた信号処理により得られる利得を用い、セル選択のために参照信号の受信強度に加えるセル選択バイアス値の補正処理により、セルの選択及び再選択の基準の調整を行う。なお、実施例に係る基地局の詳細構成については、その一例を後に図８を用いて説明する。【００２３】
図２は、第１の実施例におけるセル選択バイアス値の補正処理の流れを示す図、図３は、第1の実施例における干渉除去情報の一例を示す図である。本実施例におけるセル選択バイアス補正処理では、各基地局が同様の処理を行って互いに情報の通知を行い、通知された結果を集約する。図２ではこのうち２基地局のみについての処理を左右に示しているが、２基地局に限定されるものでない。なお、各基地局はそれぞれ同様の処理を行うため、以下の説明は簡単の１基地局についてのみ処理の流れを記述する。なお、このセル選択バイアス補正処理は、後で説明する基地局内の処理部が行う処理である。【００２４】
図２において、セル選択バイアス補正処理は、まず処理Ｐ１０１において干渉除去値の測定処理、言い換えるなら干渉除去情報の作成を行う。この干渉除去値測定処理Ｐ１０１では、基地局における受信信号品質や、端末から基地局に報告される端末の受信信号品質に基づき、基地局の干渉除去情報を作成する。本実施例の干渉除去情報は、例えば図３に示すような値であり、基地局ＩＤ７０１と上り干渉除去値７０２、下り干渉除去値７０３の組み合わせで構成される。なお、上り干渉除去値７０２と下り干渉除去値７０３とはいずれか一方のみであってもよい。【００２５】
この上り干渉除去値７０２は、複数のアンテナを用いたことによる処理利得から求める。複数のアンテナを用いたことによる処理利得は、例えば、基地局における受信信号処理の過程において、個々のユーザ端末からの上り信号を受信する際、例えば単一アンテナで受信した信号の受信電力あるいは受信電力対干渉及び雑音電力比と、複数のアンテナで受信した信号を合成した後の受信電力あるいは受信電力対干渉及び雑音電力比とから求めることができる。そして、個々のユーザ端末からの上り信号に対する処理利得を、複数のユーザ端末分平均化することにより平均処理利得を求め、これを基地局の上り干渉除去値とする。【００２６】
図９は上述した本実施例の複数のアンテナを有する基地局における、処理利得の導出処理を含む受信信号処理の流れの一例を示す機能ブロック図である。これらの機能ブロック各々は、後で説明する基地局内の処理部で実現することが可能である。図９の例において、図示を省略した複数のアンテナから無線通信部であるＲＦ(Radio Frequency)モジュールを介して受信した受信信号９００は、後で説明する基地局内の処理部で実現されるチャネル推定部９０１、及び復調部９０２に渡される。【００２７】
チャネル推定部９０１では、受信信号に含まれる既知パターンの信号である、上述したパイロット信号を利用して、送信及び受信アンテナ毎、周波数毎、時間毎の伝搬チャネルにおける信号変動の様子であるチャネル情報を推定する。チャネル推定部９０１はまた、推定したチャネル情報を復調部９０２に通知する。さらにチャネル推定部９０１は、推定したチャネル情報から受信電力対干渉及び雑音電力比９０５を求め、処理利得導出部９０４に通知する。【００２８】
復調部９０２では、チャネル推定部９０１から通知されたチャネル情報を用いて受信信号の復調処理を行う。受信信号の復調処理とは、例えばMMSE（Minimum Mean Square Error：最小平均２乗誤差）法を用いた等化処理であり、あるいは例えばチャネル情報のＱＲ分解（QR decomposition）の結果を用いた直交化処理である。復調部９０２における復調処理の結果は尤度推定・復号部９０３に送られる。尤度推定・復号部９０３では、尤度推定の後、誤り訂正符号の復号が行われる。復調部９０３では、また、復調処理の結果を用いて各受信信号の復調処理後の信号対干渉及び雑音電力比９０６を推定し、推定結果を処理利得導出部９０４に通知する。【００２９】
処理利得導出部９０４では、チャネル推定部９０１から通知された受信電力対干渉及び雑音電力比９０５と、復調部９０２から通知された復調後の受信電力対干渉及び雑音電力比９０６との比を処理利得９０７として出力する。【００３０】
図３に示した下り干渉除去値７０３は、例えば上り干渉除去値７０２をそのまま用いることができる。あるいは上り信号と下り信号との周波数差とを用い、周波数差が無い場合あるいは小さい場合には上り干渉除去値７０２を下り干渉除去値７０３として用い、周波数差が大きい場合には上り干渉除去値７０２よりも小さい値を下り干渉除去値７０３として用いてもよい。【００３１】
下り干渉除去値７０３はまた、基地局が複数のアンテナを用いてユーザ端末個別に送信した信号のユーザ端末における受信品質と、基地局がセル内にブロードキャストした信号のユーザ端末における受信品質との差をユーザ端末が測定し、基地局に対して報告した値から求めてもよい。この場合下り干渉除去値７０３は、ユーザ端末個別に送信した信号のユーザ端末における受信品質が高いほど大きな値となる。【００３２】
次いで、図２に戻り、処理Ｐ１０２の干渉除去情報通知処理では、基地局は干渉除去値測定処理Ｐ１０１にて作成した干渉除去情報を互いに周辺の基地局に対して通知し、通知された干渉除去情報を受け取る。ここで、周辺の基地局とは例えば地理的に隣接するセルの基地局である。また、例えば小型セル基地局の場合には周辺の基地局として、自基地局と通信範囲が重複する１ないしは複数のマクロセル基地局を選択する。また例えばマクロセル基地局の場合には、周辺の基地局として自基地局と通信範囲が重複する１ないしは複数の小型セル基地局を選択する。あるいはマクロセル基地局の場合には、周辺の基地局として、自基地局と通信範囲が重複する１ないしは複数の小型セル基地局に加え、自基地局と通信範囲が重複する、あるいは自基地局と通信範囲が接するマクロセル基地局を選択する。【００３３】
次いで、図２の処理Ｐ１０３の干渉除去情報集約処理では、干渉除去値測定処理Ｐ１０１にて作成した自基地局の干渉除去情報と、干渉除去情報通知処理Ｐ１０２により通知された周辺の基地局の干渉除去情報とを蓄積する。既に干渉除去情報積している基地局から新規に干渉除去情報が通知された場合には、蓄積された情報を新規に通知された情報で更新する。あるいは既に干渉除去情報を蓄積している基地局から新規に干渉除去情報が通知された場合には、蓄積している干渉除去情報の上り干渉除去値及び下り干渉除去値それぞれと、新規に通知された干渉除去情報の上り干渉除去値及び下り干渉除去値とを、忘却係数を用いて平均化を行う。【００３４】
次いで図２の処理Ｐ１０４のセル選択バイアス決定処理では、干渉除去情報集約処理Ｐ１０３にて蓄積した自基地局及び周辺基地局の干渉除去情報に基づき、セル選択バイアス値を決定する。セル選択バイアス決定処理Ｐ１０４では、自基地局の上り干渉除去値が周辺基地局の上り干渉除去値よりも大きいほどセル選択バイアス値が小さくなるように、自基地局の下り干渉除去値が周辺基地局の下り干渉除去値よりも大きいほどセル選択バイアス値が大きくなるように、セル選択バイアス値を決定する。なお、自基地局または周辺基地局の上り干渉除去値あるいは下り干渉除去値が未取得である場合には、当該の値を０として扱う。【００３５】
次いで図２の処理Ｐ１０６のセル選択バイアス更新処理では、基地局内で用いるセル選択バイアス値をセル選択バイアス決定処理Ｐ１０４において決定したセル選択バイアス値に更新する。基地局内では、セル選択バイアス値は例えばセル内に測定情報の一部として報知するセル個別オフセット値の作成に用い、また各端末のハンドオーバ判定の際の判断条件の一つとして用いる。セル個別オフセット値はセル選択バイアス値と正の相関を持つように作成される。またハンドオーバ判定の際には、セル選択バイアス値が大きい基地局に対してハンドオーバしやすいように判断条件を補正する。【００３６】
以上の処理は、先に説明した複数の基地局でそれぞれ順番に同期して行う必要はない。例えば干渉除去情報集約処理Ｐ１０３は、干渉除去情報通知処理Ｐ１０２の終了をトリガーに実行するのではなく、周辺の基地局からの干渉除去情報の通知をトリガーに実行してもよい。また例えばセル選択バイアス決定処理Ｐ１０４は干渉除去情報集約処理Ｐ１０３の終了をトリガーに実行するのではなく、一定間隔で定期的に実行してもよい。【００３７】
上記した本実施例のセル選択バイアス補正処理により、自基地局の下り干渉除去の能力が高いほど、あるいは周辺の基地局の上り干渉除去の能力が高いほど、ユーザ端末が自基地局に接続しやすくなり、自基地局のセル範囲が拡大することにより、セル間干渉による影響を低く保ちつつ、セル間の負荷分散及びシステムスループットの増加を図ることができる。さらにマクロセルと小型セルとが混在する環境においては、小型セルを有効に活用することができる。【００３８】
図４は、上述した本実施例の図２のセル選択バイアス補正処理のうち、セル選択バイアス決定処理Ｐ１０４の流れの機能ブロックの一例を示す図である。同図に示すように、セル選択バイアス決定処理Ｐ１０４では、処理５０１において、周辺基地局の上り干渉値から、例えば平均化処理や中央値を選択することにより、周辺基地局の上り干渉値の代表値を求める。処理５０２では、処理５０１で求めた周辺基地局の上り干渉値の代表値と、自基地局の上り干渉値とから、量子化上り干渉除去値５０６を求める。ここで量子化上り干渉除去値５０６は、周辺基地局の上り干渉値の代表値が自基地局の上り干渉値よりも大きいほど大きい傾向を、周辺基地局の上り干渉値の代表値が自基地局の上り干渉値よりも小さいほど小さい傾向を持つように選択する。【００３９】
セル選択バイアス決定処理ではまた、処理５０３において周辺基地局の下り干渉値から、例えば平均化処理や中央値を選択することにより、周辺基地局の下り干渉値の代表値を求める。処理５０４では、処理５０３で求めた周辺基地局の下り干渉値の代表値と、自基地局の下り干渉値とから、量子化下り干渉除去値５０７を求める。ここで量子化下り干渉除去値５０７は、周辺基地局の下り干渉値の代表値が自基地局の下り干渉値よりも大きいほど大きい傾向を、周辺基地局の下り干渉値の代表値が自基地局の下り干渉値よりも小さいほど小さい傾向を持つように選択する。【００４０】
セル選択バイアス決定処理では次に判定処理５０５において、処理５０２において求めた量子化上り干渉除去値と処理５０４において求めた量子化下り干渉除去値とから、セル選択バイアス値５０８の判定を行う。【００４１】
図５は本実施例におけるセル選択バイアス値５０８判定の一例を説明するための図である。図５の判定例を示すバイアス値テーブル５０９は、量子化上り干渉除去値５０６及び量子化下り干渉除去値５０７としてそれぞれ行列方向に示す、−２、−１、０、１、２の５通りの値を用いた際のセル選択バイアス値５０８との関係を示しており、行側の量子化上り干渉除去値５０６が大きいほどセル選択バイアス値５０８は小さい傾向になり、列側の量子化下り干渉除去値５０７が大きいほどセル選択バイアス値５０８は大きい傾向なる。【００４２】
図６は、本実施例における無線通信システムにおいて、ユーザ端末が通信中に接続先の基地局を変更するハンドオーバ実行までの処理の流れの一例を示す図である。図６では一例として、マクロセル基地局１０１と接続中のユーザ端末１１２が小型セル基地局１１１へハンドオーバするまでのシーケンスを示している。【００４３】
図６のシーケンスの初期状態では、ユーザ端末１１２はマクロセル基地局１０１に接続している。またマクロセル基地局１０１及び小型セル基地局１１１は連続的、あるいは周期的にパイロット信号及び報知信号２０２をセル範囲内に送信する。報知情報には基地局側からユーザ端末に送るセル個別オフセット値を含み、上記のとおり基地局内でのセル選択バイアス補正処理により、ユーザ端末に送られるセル個別オフセット値は、上り干渉除去能力が高い基地局ほど低く、下り干渉除去能力が高い基地局ほど高く補正されている。【００４４】
ユーザ端末１１２では、受信・測定処理２０３において、基地局から受信したパイロット信号から受信電力を測定し、報知信号に含まれる情報に従って補正を行った上で、例えばマクロセル基地局１０１からの信号受信電力よりも小型セル基地局１１１からの信号受信電力が上回った場合など、測定結果が予め定められた条件を満たした場合には測定結果を接続中のマクロセル基地局１０１に報告する測定結果報告２０４を行う。【００４５】
ユーザ端末１１２における受信・測定処理２０３では、受信電力の比較を行う際に、基地局からの報知信号に含まれるセル個別オフセット値を受信電力に加えて補正を行う。これにより、セル個別オフセット値が高い基地局からの受信信号は信号電力が大きく扱われる。例えば接続中の基地局からの信号受信電力よりも他の基地局からの信号受信電力が上回った場合に測定結果を報告するように定められている場合でも、セル個別オフセット値を加算してから比較することにより、接続中の基地局のセル個別オフセット値が比較的大きい場合には測定結果を報告しづらく、接続中の基地局のセル個別オフセット値が比較的小さい場合には測定結果を報告しやすくなる。【００４６】
マクロセル基地局１０１では、測定結果の報告を受けてハンドオーバ判定処理２０５により、小型セル基地局１１１へのハンドオーバを実行するか否かの判定を行う。ハンドオーバの判定には、例えばハンドオーバ元基地局及びハンドオーバ先基地局の混雑度や報告された測定結果の受信電力差等を用い、報告された受信電力のうち、ハンドオーバ先基地局からの受信電力が大きい程ハンドオーバを実行しやすいような判断を行う。このとき、ハンドオーバ先基地局のセル選択バイアス値が大きいほどハンドオーバを実行しやすく、ハンドオーバ元の基地局のセル選択バイアス値が大きいほどハンドオーバを実行しにくくなるよう、ハンドオーバの判断を補正する。【００４７】
以上では、マクロセル基地局１０１から小型セル基地局１１１へのハンドオーバを例に説明を行ったが、マクロセル基地局１０１から別のマクロセル基地局１０１へのハンドオーバであっても、また小型セル基地局１１１からマクロセル基地局１０１へのハンドオーバであっても、また小型セル基地局１１１から別の小型セル基地局１１１へのハンドオーバであっても同様である。【００４８】
また以上ではハンドオーバについて説明を行ったが、ユーザ端末の非通信時におけるセル再選択処理についても同様である。また接続先セルを完全に切り替えるハンドオーバではなく、一部のチャネルのみ送受信先基地局を切り替えるような場合であっても同様である。【００４９】
以上説明した実施例１により、小型セル基地局を有効に活用し、無線通信システムのシステム容量を増加させることが可能となる。
【実施例２】
【００５０】
次に第２の実施例として、複数の基地局のセル選択バイアス値の決定をセンタ一括で行う実施例を、図７を用いて説明する。図７は第２の実施例におけるセル選択バイアス補正処理の流れを示す図である。第1の実施例におけるセル選択バイアス補正処理では各基地局でセル選択バイアスの決定を行ったが、本実施例におけるセル選択バイアス補正処理では、センタにて一括して複数の基地局のセル選択バイアス値の決定を行う。このセル選択バイアス補正処理も、後で説明する基地局内の処理部で実行される。【００５１】
図７では複数の基地局のうち１基地局のみを図示しており、以下の説明では１基地局について記載するが、複数の基地局のそれぞれは同様の処理を行う。なお、本実施例におけるセンタとは、図１に示したように、コアネットワーク１０４内に、独立したセンタとして存在してもよいし、特定の基地局が基地局としての機能に加えて以下に説明するセンタとしての機能を持ってもよい。【００５２】
同図において、第２の実施例における干渉除去値測定処理Ｐ１０１は、第１の実施例における干渉除去値測定処理Ｐ１０１と同様の処理である。また、図７の干渉除去情報通知処理Ｐ１０２は、干渉除去情報を通知する先が周辺の基地局ではなくセンタである点を除き、第１の実施例における干渉除去情報通信処理Ｐ１０２と同様である。【００５３】
干渉除去情報集約処理Ｐ１１３では、各基地局から干渉除去情報通知処理Ｐ１０２により通知された干渉除去情報を蓄積する。既に干渉除去情報を蓄積している基地局から、新規に干渉除去情報が通知された場合には、蓄積された情報を新規に通知された情報で更新する。あるいは既に干渉除去情報を蓄積している基地局から新規に干渉除去情報が通知された場合には、蓄積している干渉除去情報の上り干渉除去値及び下り干渉除去値それぞれと、新規に通知された干渉除去情報の上り干渉除去値及び下り干渉除去値とを、忘却係数を用いて平均化を行う。【００５４】
次に、図７のセル選択バイアス決定処理Ｐ１１４では、干渉除去情報集約処理Ｐ１１３にて蓄積した各基地強の干渉除去情報に基づき、各基地局のセル選択バイアス値を決定する。セル選択バイアス決定処理Ｐ１１４において各基地局のセル選択バイアス値を決定する際には、当該基地局の干渉除去情報に加え、当該基地局の周辺基地局の干渉除去情報を用いる。ここで、周辺の基地局とは例えば地理的に隣接するセルの基地局である。また、例えば小型セル基地局の場合には周辺の基地局として、自基地局と通信範囲が重複する１ないしは複数のマクロセル基地局を選択する。また例えばマクロセル基地局の場合には、周辺の基地局として自基地局と通信範囲が重複する１ないしは複数の小型セル基地局を選択する。あるいはマクロセル基地局の場合には、周辺への基地局として自基地局と通信範囲が重複する１ないしは複数の小型セル基地局に加え、自基地局と通信範囲が重複する、あるいは自基地局と通信範囲が接するマクロセル基地局を選択する。【００５５】
図７のセル選択バイアス決定処理Ｐ１１４では、自基地局の上り干渉除去値が周辺基地局の上り干渉除去値よりも大きいほどセル選択バイアス値が小さくなるように、自基地局の下り干渉除去値が周辺基地局の下り干渉除去値よりも大きいほどセル選択バイアス値が大きくなるように、セル選択バイアス値を決定する。なお、自基地局または周辺基地局の上り干渉除去値あるいは下り干渉除去値が未取得である場合には、当該の値を０として扱う。【００５６】
図７のセル選択バイアス通知処理Ｐ１１５では、セル選択バイアス決定処理Ｐ１１４により決定した各基地局のセル選択バイアス値を当該基地局に対して通知する。【００５７】
図７のセル選択バイアス更新処理Ｐ１０６は、セル選択バイアス値として基地局内で決定した値を用いるのではなく、センタから通知を受けた値を用いる点を除き、第１の実施例におけるセル選択バイアス更新処理Ｐ１０６と同様である。【００５８】
以上の処理は複数の基地局でそれぞれ順番に同期して行う必要はない。例えばセル選択バイアス決定処理Ｐ１１４は干渉除去情報集約処理Ｐ１１３の終了をトリガーに実行するのではなく、一定間隔で定期的に実行してもよい。【００５９】
上述した第２の実施例のセル選択バイアス補正処理により、第１の実施例の場合と同様本実施例においても、自基地局の下り干渉除去の能力が高いほど、あるいは周辺の基地局の上り干渉除去の能力が高いほど、ユーザ端末が自基地局に接続しやすくなり、自基地局のセル範囲が拡大することにより、セル間干渉による影響を低く保ちつつ、セル間の負荷分散及びシステムスループットの増加を図ることができる。さらにマクロセルと小型セルとが混在する環境においては、小型セルを有効に活用することができる。【００６０】
図８は、上述した各実施例における基地局装置である、デジタル信号プロセッサ（Digital Signal Processor：ＤＳＰ）や中央処理部（Central Processing Unit：ＣＰＵ）や論理回路から構成される処理部を主体とした基地局の構成の一例を示す図である。図８に示す基地局は、処理部を構成するＣＰＵ及びＤＳＰモジュール４０１、記憶部であるメモリ４０２、処理部を構成する論理回路モジュール４０３、ネットワークインタフェース（Ｉ／Ｆ）４０４、一つまたは複数のアンテナに接続される、無線通信部であるＲＦモジュール４０５を有し、それぞれ、バス４０６を介して接続される。【００６１】
図２や図７における各処理は、処理部を構成する、ＣＰＵ／ＤＳＰモジュール４０１におけるプログラムと、論理回路モジュール４０３における演算回路との一方もしくは両方、及び必要であればメモリ４０２を用いて行われる。また各処理が必要とする情報、たとえば、上述した各実施例における干渉除去情報やセル選択バイアス値等はメモリ４０２に保持される。【００６２】
ネットワークインタフェース（Ｉ／Ｆ）４０４は、制御信号や信号処理前の送信信号、信号処理後の受信信号の入出力を行う。ＲＦモジュール４０５は、送信信号に対しては無線周波数帯域の信号に変換してアンテナを経由して送信を行い、受信信号に対してはアンテナを介して受信した信号をベースバンド帯域の信号に変換する。【００６３】
なお、図８に示した、各モジュール及びバスはそれぞれ必ずしも単一である必要は無い。例えば複数のＣＰＵ／ＤＳＰモジュール４０１があっても良く、また複数のバス４０６があっても良い。またバス４０６が複数ある場合には、必ずしもすべてのバスが全てのモジュールと接続している必要は無く、例えば全てのモジュールと接続しているバスの他に、メモリ４０２と論理回路モジュール４０３とのみを接続するバスがあっても良い。【００６４】
また例えば全ての機能における信号処理演算及び信号処理の制御それぞれを、処理部を構成するＣＰＵ／ＤＳＰモジュール４０１において実行可能であれば論理演算モジュール４０３は無くても良い。逆に例えば全ての機能における信号処理演算及び信号処理の制御それぞれを論理演算モジュール４０３において実行可能であればＣＰＵ／ＤＳＰモジュール４０１は無くても良い。【００６５】
以上説明した本発明は上記した実施例に限定されるものではなく、様々な変形例が含まれる。例えば、上記した実施例は本発明のより良い理解のために詳細に説明したのであり、必ずしも説明の全ての構成を備えるものに限定されものではない。また、ある実施例の構成の一部を他の実施例の構成に置き換えることが可能であり、また、ある実施例の構成に他の実施例の構成を加えることが可能である。また、各実施例の構成の一部について、他の構成の追加・削除・置換をすることが可能である。
【符号の説明】
【００６６】
１０１  マクロセル基地局
１０２  ユーザ端末
１０３  ネットワーク
１０４  コアネットワーク
１１１  小型セル基地局
１１２  ユーザ端末
４０１  ＣＰＵ／ＤＳＰモジュール
４０２  メモリ
４０３  論理回路モジュール
４０４  インタフェース（Ｉ／Ｆ）
４０５  ＲＦモジュール
４０６  バス
５０６  量子化上り干渉除去値
５０７  量子化下り干渉除去値
５０８  セル選択バイアス値
５０９  バイアス値テーブル
７０１  基地局ＩＤ
７０２  上り干渉除去値
７０３  下り干渉除去値
【図１】
0005766819.tif 000002
【図２】
0005766819.tif 000003
【図３】
0005766819.tif 000004
【図４】
0005766819.tif 000005
【図５】
0005766819.tif 000006
【図６】
0005766819.tif 000007
【図７】
0005766819.tif 000008
【図８】
0005766819.tif 000009
【図９】
0005766819.tif 000010